【手続補正書】
【提出日】平成24年2月28日(2012.2.28)
【手続補正１】
【補正対象書類名】特許請求の範囲
【補正対象項目名】全文
【補正方法】変更
【補正の内容】
【特許請求の範囲】
【請求項１】
各々を識別可能な複数種類の識別情報の可変表示を行い表示結果を導出表示する可変表示部を備え、該可変表示部に特定表示結果が導出表示されたときに遊技者にとって有利な特定遊技状態に移行させる遊技機であって、
遊技者にとって有利な第１状態と遊技者にとって不利な第２状態とのいずれかの状態に変化可能な特別可変入賞装置と、
前記可変表示部における識別情報の可変表示に対応して、複数種類の演出用識別情報の可変表示を実行する複数の演出用可変表示部を含む演出用可変表示装置と、
前記可変表示部に導出表示される表示結果を前記特定表示結果とするか否かを表示結果の導出表示以前に決定する事前決定手段と、
前記事前決定手段の決定にもとづいてあらかじめ定められた複数種類の演出用識別情報の可変表示パターンの中から１つの可変表示パターンを選択する可変表示パターン選択手段と、
前記可変表示パターン選択手段において選択された可変表示パターンにもとづいて前記演出用識別情報の可変表示を実行する演出用可変表示制御手段と、
遊技状態を前記特定遊技状態に制御する特定遊技状態制御手段と、
前記特定遊技状態制御手段によって前記特定遊技状態に制御されているときに、前記演出用可変表示装置において前記特定遊技状態に対応した特定遊技状態演出を実行する特定遊技状態演出制御手段とを備え、
前記あらかじめ定められた複数種類の演出用識別情報の可変表示パターンには、前記可変表示部において可変表示が開始されてから表示結果が導出表示されるまでに、全ての演出用可変表示部の演出用識別情報を仮停止させた後に前記全ての演出用可変表示部の演出用識別情報の可変表示を再開させる再可変態様を実行する再可変表示パターンが含まれ、
前記特定遊技状態制御手段は、
前記特別可変入賞装置を所定期間第１状態に変化させることを所定回数行う第１特定遊技状態に制御する第１特定遊技状態制御手段と、
前記特別可変入賞装置を前記所定期間より短い期間および前記所定回数よりも少ない回数の少なくともいずれかで第１状態に変化させる第２特定遊技状態を実行した後、前記識別情報の可変表示の表示結果が前記特定表示結果となる確率が通常状態よりも向上した高確率状態に制御する第２特定遊技状態制御手段とを含み、
前記特定遊技状態演出制御手段は、前記第２特定遊技状態制御手段によって前記第２特定遊技状態に制御されているときに、前記演出用可変表示制御手段によって再可変表示パターンに従って前記演出用可変表示装置で演出用識別情報の可変表示が実行されているときと同様の演出態様で、前記特定遊技状態演出を実行する
ことを特徴とする遊技機。
【請求項２】
各々を識別可能な複数種類の識別情報の可変表示を行い表示結果を導出表示する可変表示部を備え、該可変表示部に特定表示結果が導出表示されたときに遊技者にとって有利な特定遊技状態に移行させる遊技機であって、
遊技者にとって有利な第１状態と遊技者にとって不利な第２状態とのいずれかの状態に変化可能な特別可変入賞装置と、
前記可変表示部における識別情報の可変表示に対応して、複数種類の演出用識別情報の可変表示を実行する複数の演出用可変表示部を含む演出用可変表示装置と、
前記可変表示部に導出表示される表示結果を前記特定表示結果とするか否かを表示結果の導出表示以前に決定する事前決定手段と、
前記事前決定手段の決定にもとづいてあらかじめ定められた複数種類の演出用識別情報の可変表示パターンの中から１つの可変表示パターンを選択する可変表示パターン選択手段と、
前記可変表示パターン選択手段において選択された可変表示パターンにもとづいて前記演出用識別情報の可変表示を実行する演出用可変表示制御手段と、
遊技状態を前記特定遊技状態に制御する特定遊技状態制御手段と、
前記特定遊技状態制御手段によって前記特定遊技状態に制御されているときに、前記演出用可変表示装置において前記特定遊技状態に対応した特定遊技状態演出を実行する特定遊技状態演出制御手段とを備え、
前記あらかじめ定められた複数種類の演出用識別情報の可変表示パターンには、前記可変表示部において可変表示が開始されてから表示結果が導出表示されるまでに、全ての演出用可変表示部の演出用識別情報を仮停止させた後に前記全ての演出用可変表示部の演出用識別情報の可変表示を再開させる再可変態様を実行する再可変表示パターンが含まれ、
前記特定遊技状態制御手段は、
前記特別可変入賞装置を所定期間第１状態に変化させることを所定回数行う第１特定遊技状態に制御する第１特定遊技状態制御手段と、
前記特別可変入賞装置を前記所定期間より短い期間および前記所定回数よりも少ない回数の少なくともいずれかで第１状態に変化させる第２特定遊技状態を実行した後、前記識別情報の可変表示の表示結果が前記特定表示結果となる確率が通常状態よりも向上した高確率状態に制御する第２特定遊技状態制御手段とを含み、
前記演出用可変表示制御手段によって前記再可変表示パターンに従った演出用識別情報の可変表示が実行されているときに、前記再可変表示パターンに従った演出用識別情報の可変表示に対応した所定態様の演出を実行する再可変表示対応演出実行手段と、
前記第２特定遊技状態を終了した後の初回の演出用識別情報の可変表示において、前記再可変表示対応演出実行手段によって実行される演出と同様の態様の演出を実行する第２特定遊技終了後演出実行手段とをさらに備えた
ことを特徴とする遊技機。
【手続補正２】
【補正対象書類名】明細書
【補正対象項目名】００２１
【補正方法】変更
【補正の内容】
【００２１】
特定遊技状態演出制御手段が、特定遊技状態制御手段によって第２特定遊技状態に制御されているときに、特定遊技状態演出のうちの特定遊技状態終了時演出において、演出用可変表示制御手段によって再可変表示パターンに従って演出用可変表示装置で演出用識別情報の可変表示が実行されているときと同様の演出態様で演出を実行するように構成されることによって、第２特定遊技状態に制御されているときに、再可変表示パターンに従った演出用識別情報の可変表示（擬似連続変動演出）と同様の演出態様の特定遊技状態演出を容易に実行することができる。例えば、第２特定遊技状態中の特別可変入賞装置（大入賞口）の開放制御に対応して実行される演出では、特別可変入賞装置の開放時間によって演出時間が制限されるため、擬似連続変動演出と同様の演出態様の演出の演出時間を十分に確保できない可能性がある。特定遊技状態演出のうちの特定遊技状態終了時演出であれば、演出時間を擬似連続変動演出と同様の演出態様の演出の演出時間にあわせて設定できるので、第２特定遊技状態に制御されているときに、擬似連続変動演出と同様の演出態様の特定遊技状態演出を容易に実行することができる。
【手続補正３】
【補正対象書類名】明細書
【補正対象項目名】００２２
【補正方法】変更
【補正の内容】
【００２２】
特定遊技状態演出制御手段が、特定遊技状態制御手段によって第２特定遊技状態に制御されているときに、特定遊技状態演出を開始してから特定遊技状態演出中の特定遊技状態終了時演出を開始するまでの間に、再可変表示前演出と同様の演出態様の演出を実行するように構成されることによって、第２特定遊技状態に制御されているときに、恰も再可変表示パターンに従った演出用識別情報の可変表示（擬似連続変動演出）が実行されるような印象を遊技者に与えることができる。そのため、演出用可変表示装置で実行される演出に遊技者の注目を集めさせて、特別可変入賞装置（大入賞口）の開放制御などの第２特定遊技状態の制御が行われていることを遊技者が認識しにくくすることができる。
【手続補正４】
【補正対象書類名】明細書
【補正対象項目名】００２３
【補正方法】変更
【補正の内容】
【００２３】
可変表示部における識別情報の可変表示に対応して、複数種類の飾り用識別情報の可変表示を実行する飾り用可変表示部と、可変表示部における識別情報の可変表示の開始に対応して飾り用可変表示部における飾り用識別情報の可変表示を開始し、可変表示部における表示結果の導出表示に対応して飾り用可変表示部における表示結果を導出表示する制御を行う飾り用可変表示制御手段とを備えることによって、第２特定遊技状態に制御されているときに実行される特定遊技状態演出によって演出用可変表示装置に表示される演出用識別情報が見えにくくなる場合であっても、飾り用可変表示部に表示される飾り用識別情報を確認することによって、現在の可変表示状態を認識できるようにすることができる。
【手続補正５】
【補正対象書類名】明細書
【補正対象項目名】００２４
【補正方法】変更
【補正の内容】
【００２４】
演出モード制御手段が、第２特定遊技状態を終了した後または演出用可変表示制御手段によって再可変表示パターンに従って実行された演出用識別情報の可変表示を終了した後には、通常状態において実行される演出モードとは異なる共通の特定演出モードに制御するように構成されることによって、特定演出モードへの移行によって、少なくとも第２特定遊技状態の終了後または再可変表示パターンに従った演出用識別情報の可変表示の終了後であることを遊技者に認識させることができる。
【手続補正６】
【補正対象書類名】明細書
【補正対象項目名】００２５
【補正方法】変更
【補正の内容】
【００２５】
特別可変入賞装置を第２特定遊技状態と同一期間かつ第２特定遊技状態と同一の回数で第１状態に変化させる所定遊技状態を実行した後、特別可変入賞装置を第１状態に変化させる前の遊技状態に制御する所定遊技状態制御手段を備えることによって、第２特定遊技状態と同様の開放態様の所定遊技状態が実行されることによって、遊技に対する興趣をさらに向上させることができる。
【手続補正７】
【補正対象書類名】明細書
【補正対象項目名】００２６
【補正方法】変更
【補正の内容】
【００２６】
請求項２に記載された遊技機では、あらかじめ定められた複数種類の演出用識別情報の可変表示パターンには、可変表示部において可変表示が開始されてから表示結果が導出表示されるまでに、全ての演出用可変表示部の演出用識別情報を仮停止させた後に全ての演出用可変表示部の演出用識別情報の可変表示を再開させる再可変態様を実行する再可変表示パターンが含まれ、演出用可変表示制御手段によって再可変表示パターンに従った演出用識別情報の可変表示が実行されているときに、再可変表示パターンに従った演出用識別情報の可変表示に対応した所定態様の演出を実行する再可変表示対応演出実行手段と、第２特定遊技状態を終了した後の初回の演出用識別情報の可変表示において、再可変表示対応演出実行手段によって実行される演出と同様の態様の演出を実行する第２特定遊技終了後演出実行手段とをさらに備えるように構成されているので、第２特定遊技状態に制御されたことによる演出が実行されているのか、再可変表示パターンに従った演出用識別情報の可変表示（擬似連続変動演出）が実行されているのかを、遊技者が認識しにくくすることができる。具体的には、一般に第２特定遊技状態は短期間で終了するので、第２特定遊技状態を終了した後に再可変表示対応演出実行手段によって実行される演出と同様の態様の演出を実行するようにすれば、恰も擬似連続変動演出を実行しているように遊技者に見せることができ、第２特定遊技状態であったことを遊技者が認識しにくくすることができる。したがって、第２特定遊技状態に移行可能に構成した遊技機において、第２特定遊技状態と擬似連続変動演出とを関連付けた演出を行えるようにして、遊技に対する興趣を向上させることができる。
【手続補正８】
【補正対象書類名】明細書
【補正対象項目名】００２７
【補正方法】変更
【補正の内容】
【００２７】
事前決定手段によって第２特定表示結果とすると決定されたときに、決定された第２特定表示結果を導出表示する識別情報の可変表示において、再可変表示対応演出実行手段によって実行される演出と同様の態様の演出を実行する第２特定遊技開始前演出実行手段を備えることによって、より恰も再可変表示パターンに従った演出用識別情報の可変表示（擬似連続変動演出）を実行しているように遊技者に見せることができ、第２特定遊技状態であったことを遊技者が認識しにくくすることができる。したがって、遊技に対する興趣を向上させることができる。
【手続補正９】
【補正対象書類名】明細書
【補正対象項目名】００２８
【補正方法】変更
【補正の内容】
【００２８】
事前決定手段によって第２特定表示結果とすると決定されたときに、決定された第２特定表示結果を導出表示する識別情報の可変表示の開始時に、保留記憶手段によって保留記憶が記憶されていない場合には、第２特定遊技状態を終了した後の初回の演出用識別情報の可変表示において、再可変表示対応演出実行手段によって実行される演出と同様の態様の演出を実行しない第２特定遊技終了後演出不実行手段を備えることによって、識別情報の可変表示の実行条件が成立しておらず、第２特定遊技状態を終了した後に直ちに演出用識別情報の可変表示が実行されないにもかかわらず、再可変表示対応演出実行手段によって実行される演出と同様の態様の演出を実行してしまい遊技者に違和感を与えてしまう事態を防止することができる。
【手続補正１０】
【補正対象書類名】明細書
【補正対象項目名】００２９
【補正方法】変更
【補正の内容】
【００２９】
再可変表示対応演出実行手段が、演出用可変表示制御手段によって再可変表示パターンに従った演出用識別情報の可変表示が実行されているときに、再可変表示パターンに従った演出用識別情報の可変表示に対応した所定態様の演出として、可動部材の可動、発光手段による発光、または音声出力手段による音声出力のうちの少なくとも１つを用いた演出を実行するように構成されることによって、再可変表示パターンに従った演出用識別情報の可変表示（擬似連続変動演出）を実行していることを、遊技者に容易に認識させることができる。